(57)【要約】      （修正有）【課題】航空機に搭載されたトイレなどの限定空間から、様々な流体（例えば、淀んだ又は悪臭を伴う空気、オゾン、流し台の中の液体など）を除去する、システム及び方法の提案。【解決手段】流体除去システムは、限定空間３０４から流体を除去するため、アクチュエータ１２２ａ、１２２ｂが、流体除去導管１１０ａ、１１０ｂに可動式に接続される。流体除去導管１１０ａ、１１０ｂは、アクチュエータ１２２ａ、１２２ｂが閉鎖位置にある時には閉じ、アクチュエータ１２２ａ、１２２ｂが開放位置にある時には開く。限定空間３０４内の流体は、アクチュエータ１２２ａ、１２２ｂが開放位置にある時に、流体除去導管１１０ａ、１１０ｂ内に引き込まれ、排出ポート１１４を通じて排出される。【選択図】図３
2018066256.tif 000002
【特許請求の範囲】
【請求項１】
限定空間から流体を除去するよう構成された流体除去システム（１００）であって、
動作サイクルにしたがって動作するよう構成されている動作可能なサブシステム（１２０）であって、前記動作サイクル中に作動信号を出力するよう構成されている、動作可能なサブシステム（１２０）と、
前記動作可能なサブシステム（１２０）に動作可能に連結され、かつ、流体除去導管（１１０）に可動式に接続された、アクチュエータ（１２２）とを備え、前記流体除去導管（１１０）は、前記アクチュエータ（１２２）が閉鎖位置にある時には閉じ、前記アクチュエータ（１２２）が開放位置にある時には開き、前記アクチュエータ（１２２）は、前記動作可能なサブシステム（１２０）が前記作動信号を出力することに応じて、前記開放位置へと動き、前記限定空間内の流体は、前記アクチュエータ（１２２）が前記開放位置にある時に、前記流体除去導管（１１０）内に引き込まれ、排出ポート（１１４）を通じて排出される、流体除去システム（１００）。
【請求項２】
前記流体除去導管（１１０）に連結された真空発生装置（１１２）を更に備え、前記真空発生装置（１１２）は、前記アクチュエータ（１２２）が前記開放位置にある時に前記流体除去導管（１１０）の中に前記限定空間内の前記流体を引き込む、真空を発生させる、請求項１に記載の流体除去システム（１００）。
【請求項３】
前記アクチュエータ（１２２）が便器の浄化バルブを含む、請求項１又は２に記載の流体除去システム（１００）。
【請求項４】
前記便器は、人が関与して、水洗浄バルブ及び前記浄化バルブが開く湿式浄化を作動させるよう構成されており、前記作動信号が前記動作可能なサブシステム（１２０）によって出力されると、前記浄化バルブだけが開いて乾式浄化を提供する、請求項３に記載の流体除去システム（１００）。
【請求項５】
前記アクチュエータ（１２２）が、流し台のプランジャと排水プラグの一方又は両方に連結された、ソレノイドとモータの一方又は両方を含む、請求項１から４のいずれか一項に記載の流体除去システム（１００）。
【請求項６】
前記動作サイクルが消毒サイクルを含み、前記流体が前記限定空間内のオゾンを含み、前記動作可能なサブシステム（１２０）が、紫外（ＵＶ）光消毒システムであって、
前記作動信号を出力するよう構成されている、ＵＶ光制御ユニット（２０８）と、
前記ＵＶ光制御ユニット（２０８）に動作可能に連結された、ＵＶ光アセンブリ（２０６）とを含む、ＵＶ光消毒システムを含み、前記ＵＶ光制御ユニットは、前記作動信号に基づいて、前記消毒サイクル中に前記ＵＶ光アセンブリ（２０６）を制御し、前記ＵＶ光アセンブリ（２０６）は、前記消毒サイクル中に前記限定空間の少なくとも一部分を消毒するためにＵＶ光を放出する、請求項１から５のいずれか一項に記載の流体除去システム（１００）。
【請求項７】
人が手動で関与するよう構成されている関与部材（２０２）を更に備え、前記流体が、前記限定空間内の悪臭を伴う空気を更に含む、請求項６に記載の流体除去システム（１００）。
【請求項８】
前記動作サイクルが乱気流検出期間を含み、前記流体が前記限定空間内の水を含み、前記動作可能なサブシステム（１２０）が、航空機に搭載されたコンピュータを含む、請求項１から７のいずれか一項に記載の流体除去システム（１００）。
【請求項９】
限定空間から流体を除去する流体除去方法であって、
動作サイクルにしたがって動作可能なサブシステム（１２０）を動作させることと、
前記動作サイクル中に、前記動作可能なサブシステム（１２０）から、前記動作可能なサブシステム（１２０）に動作可能に連結され、かつ、流体除去導管（１１０）に可動式に接続されているアクチュエータ（１２２）に、作動信号を出力することであって、前記流体除去導管（１１０）は、前記アクチュエータ（１２２）が閉鎖位置にある時には閉じ、前記アクチュエータ（１２２）が開放位置にある時には開く、出力することと、
前記出力することに応じて、前記アクチュエータ（１２２）を前記開放位置へと動かすことと、
前記アクチュエータ（１２２）が前記開放位置にある時に、前記流体除去導管（１１０）の中に前記限定空間内の流体を引き込むこととを含む、流体除去方法。
【請求項１０】
前記流体除去導管（１１０）に連結されている真空発生装置（１１２）を用いて、真空を発生させることを更に含み、前記真空を発生させることは、前記アクチュエータ（１２２）が前記開放位置にある時に、前記流体除去導管（１１０）の中に前記限定空間内の前記流体を引き込む、請求項９に記載の流体除去方法。
【請求項１１】
前記アクチュエータ（１２２）が便器の浄化バルブを含む、請求項９又は１０に記載の流体除去方法。
【請求項１２】
前記便器は、水洗浄バルブ及び前記浄化バルブが開く湿式浄化を作動させるために人が関与可能であり、前記出力することの間に、前記浄化バルブだけが開いて乾式浄化を提供する、請求項１１に記載の流体除去方法。
【請求項１３】
前記アクチュエータ（１２２）が、流し台のプランジャと排水プラグの一方又は両方に連結された、ソレノイドとモータの一方又は両方を含む、請求項９から１２のいずれか一項に記載の流体除去方法。
【請求項１４】
前記動作サイクルが消毒サイクルを含み、前記流体が前記限定空間内のオゾンを含み、前記動作可能なサブシステム（１２０）が、紫外（ＵＶ）光消毒システムであって、
前記作動信号を出力するよう構成されている、ＵＶ光制御ユニット（２０８）と、
前記ＵＶ光制御ユニット（２０８）に動作可能に連結された、ＵＶ光アセンブリ（２０６）とを含む、ＵＶ光消毒システムを含み、前記ＵＶ光制御ユニットは、前記作動信号に基づいて、前記消毒サイクル中に前記ＵＶ光アセンブリ（２０６）を制御し、前記ＵＶ光アセンブリ（２０６）は、前記消毒サイクル中に前記限定空間の少なくとも一部分を消毒するためにＵＶ光を放出する、請求項９から１３のいずれか一項に記載の流体除去方法。
【請求項１５】
前記動かすことを引き起こすために、関与部材（２０２）に手動で関与することを更に含み、前記流体が、前記限定空間内の悪臭を伴う空気を更に含む、請求項１４に記載の流体除去方法。
【請求項１６】
前記動作サイクルが乱気流検出期間を含み、前記流体が前記限定空間内の水を含み、前記動作可能なサブシステム（１２０）が、航空機に搭載されたコンピュータを含む、請求項９から１５のいずれか一項に記載の流体除去方法。
【請求項１７】
輸送体であって、
内部キャビンと、
前記内部キャビンの中のトイレであって、便器及び流し台を備えており、前記便器が、人が関与して、水洗浄バルブ及び浄化バルブが開く湿式浄化を作動させるよう構成されている、トイレと、
前記便器と前記流し台の一方又は両方に連結された、少なくとも１つの流体除去導管（１１０）と、
前記少なくとも１つの流体除去導管（１１０）に連結された、真空発生装置（１１２）であって、前記少なくとも１つの流体除去導管（１１０）内に真空を発生させるよう構成されている、真空発生装置（１１２）と、
前記トイレの中の紫外（ＵＶ）光アセンブリであって、消毒サイクル中に、前記便器と前記流し台の一方又は両方の中に、又はそれらに対して、ＵＶ光を放出するよう構成されている、ＵＶ光アセンブリ（２０６）と、
前記ＵＶ光アセンブリ（２０６）に連結されたＵＶ光制御ユニット（２０８）であって、前記消毒サイクル中に前記ＵＶ光アセンブリ（２０６）を作動させ、制御する、作動信号を出力する、ＵＶ光制御ユニット（２０８）と、
前記ＵＶ光制御ユニット（２０８）に動作可能に連結され、かつ、前記少なくとも１つの流体除去導管（１１０）に可動式に接続された、少なくとも１つのアクチュエータ（１２２）であって、前記少なくとも１つの流体除去導管（１１０）は、前記少なくとも１つのアクチュエータ（１２２）が閉鎖位置にある時には閉じ、前記少なくとも１つのアクチュエータ（１２２）が開放位置にある時には開き、前記ＵＶ光制御ユニット（２０８）が前記作動信号を出力することに応じて、前記開放位置へと動き、前記トイレ内の流体は、前記少なくとも１つのアクチュエータ（１２２）が前記開放位置にある時に、前記少なくとも１つの流体除去導管（１１０）の中に引き込まれ、前記真空発生装置（１１２）は、前記アクチュエータ（１２２）が前記開放位置にある時に、前記少なくとも１つの流体除去導管（１１０）の中に前記トイレ内の前記流体を引き込む、少なくとも１つのアクチュエータ（１２２）と、
前記少なくとも１つの流体除去導管（１１０）に連結された、排出ポート（１１４）であって、前記少なくとも１つの流体除去導管（１１０）内に引き込まれた前記流体が、前記排出ポート（１１４）を通じて前記輸送体の外に排出される、排出ポート（１１４）とを備える、輸送体。
【請求項１８】
前記少なくとも１つのアクチュエータ（１２２）が、前記便器の前記浄化バルブを含み、前記作動信号が前記ＵＶ光制御ユニット（２０８）によって出力されると、前記浄化バルブだけが開いて乾式浄化を提供する、請求項１７に記載の輸送体。
【請求項１９】
前記少なくとも１つのアクチュエータ（１２２）が、前記流し台のプランジャと排水プラグの一方又は両方に連結された、ソレノイドとモータの一方又は両方を含む、請求項１７又は１８に記載の輸送体。
【請求項２０】
人が手動で関与するよう構成されている関与部材（２０２）を更に備え、前記流体が、前記トイレ内の悪臭を伴う空気を更に含む、請求項１７から１９のいずれか一項に記載の輸送体。
【発明の詳細な説明】
【技術分野】
【０００１】
本開示の実施形態は概して、民間航空機のトイレなどの限定空間から流体（ガス及び液体）を除去するためのシステム及び方法に関する。
【背景技術】
【０００２】
民間航空機は、様々な場所間で旅客を搬送するために使用される。典型的な民間航空機は、内部キャビンの中に一又は複数のトイレを含む。
【０００３】
紫外（ＵＶ）光を使用する、航空機のトイレ内の表面を殺菌若しくは消毒するためのシステムが、これまでに開発されている。例えば、遠紫外光がトイレ内の露出表面を有効に殺菌することが分かっている。
【０００４】
ＵＶ光と空気との相互作用はオゾンを生成する。ＵＶ光が空気を通過する際に、ＵＶ光と酸素分子との相互作用がオゾン分子を発生させる。
【０００５】
オゾンは、人と構造物の両方に対して刺激性である。例えば、特定の人々は、オゾンへの長期の曝露により呼吸障害を起こしやすいことがある。更に、オゾンは、様々な構造物の表面を劣化させうる反応性ガスである。
【０００６】
したがって、限定空間内のオゾン量は、典型的には、制御される。連邦航空局（Ｆｅｄｅｒａｌ  Ａｖｉａｔｉｏｎ  Ａｄｍｉｎｉｓｔｒａｔｉｏｎ：ＦＡＡ）は、航空機上のオゾンの存在に関する規則及びガイドラインを定めている。例えば、ＦＡＡ規制ガイドラインは、航空機の内部キャビンにおけるオゾン量を、８時間の時間枠にわたり平均１００ｐｐｂに制限している。更に、ＦＡＡ規制ガイドラインは、航空機の内部キャビンにおけるオゾン量を、３時間のピーク時間枠において２５０ｐｐｂにも制限している。
【０００７】
したがって、航空機のオペレータは、航空機内のオゾン量を制限するよう努めている。既知の殺菌方法の１つは、消毒用ＵＶ光を消毒されるべき表面に近接して配置することによって、発生するオゾン量を制限する。例えば、ＵＶ光は、消毒される表面から１〜６インチの範囲内に配置されうる。ＵＶ光から表面までが近接することで、オゾンの発生が制限される。オゾンが周囲空気を通過する距離が短くなるからである。しかし、様々な構造物は、ＵＶ光にそれほどに近接した範囲内に配置されることが可能ではない。例えば、ＵＶ光は、トイレ内の便器又は床から数インチの範囲内に有効に位置付けられないことがある。
【発明の概要】
【０００８】
限定空間内のオゾン量を制限するシステム及び方法が必要とされている。限定空間内のオゾンを換気するシステム及び方法も必要とされている。放出されたＵＶ光と周囲空気との相互作用によって発生したオゾンが迅速、効果的、かつ効率的に換気されるように、ＵＶ光を消毒されるべき構造物から離すことを可能にする、システム及び方法も必要とされている。また、航空機に搭載されたトイレなどの限定空間から、様々な流体（例えば、淀んだ又は悪臭を伴う空気、オゾン、流し台の中の液体など）を除去する、システム及び方法も必要とされている。
【０００９】
上記の必要性を考慮して、本開示のある種の実施形態は、限定空間から流体を除去するよう構成されている流体除去システムを提供する。この流体除去システムは、動作サイクルにしたがって動作するよう構成されている、動作可能なサブシステムを含む。動作可能なサブシステムは、動作サイクル中に作動信号を出力するよう構成される。アクチュエータが、動作可能なサブシステムに動作可能に連結され、かつ、流体除去導管に可動式に接続される。流体除去導管は、アクチュエータが閉鎖位置にある時には閉じ、かつ、アクチュエータが開放位置にある時には開く。アクチュエータは、動作可能なサブシステムが作動信号を出力することに応じて、開放位置へと動く。限定空間内の流体は、アクチュエータが開放位置にある時に、流体除去導管内に引き込まれ、排出ポートを通じて排出される。
【００１０】
流体除去システムは、流体除去導管に連結された真空発生装置を含みうる。真空発生装置は、アクチュエータが開放位置にある時に流体除去導管の中に限定空間内の流体を引き込む、真空を発生させる。
【００１１】
少なくとも１つの実施形態では、アクチュエータは便器の浄化バルブを含む。便器は、人が関与して、水洗浄バルブ及び浄化バルブが開く湿式浄化を作動させるよう、構成される。少なくとも１つの実施形態では、動作可能なサブシステムによって作動信号が出力されると、便器の浄化バルブだけが開いて乾式浄化を提供する。少なくとも１つの他の実施形態では、アクチュエータは、流し台のプランジャ及び／又は排水プラグに連結された、ソレノイドとモータの一方又は両方を含む。
【００１２】
少なくとも１つの実施形態では、動作サイクルは消毒サイクルを含み、流体は限定空間内のオゾンを含む。かかる実施形態では、動作可能なサブシステムは、作動信号を出力するよう構成されている紫外（ＵＶ）光制御ユニットと、ＵＶ光制御ユニットに動作可能に連結されたＵＶ光アセンブリとを含む、ＵＶ光消毒システムを含む。ＵＶ光制御ユニットは、作動信号に基づいて、消毒サイクル中にＵＶ光アセンブリを制御する。ＵＶ光アセンブリは、消毒サイクル中に、限定空間の少なくとも一部分を消毒するためにＵＶ光を放出する。
【００１３】
流体除去システムは、人が手動で関与するよう構成されている、関与部材も含みうる。流体は、限定空間内の悪臭を伴う空気も含みうる。
【００１４】
少なくとも１つの実施形態では、動作サイクルは乱気流検出期間を含み、流体は限定空間内の水を含む。かかる実施形態では、動作可能なサブシステムは、航空機に搭載されたコンピュータを含みうる。
【００１５】
本開示のある種の実施形態は、限定空間から流体を除去する流体除去方法を提供する。この流体除去方法は、動作サイクルにしたがって動作可能なサブシステムを動作させることと、動作サイクル中に、動作可能なサブシステムから、動作可能なサブシステムに動作可能に連結され、かつ、流体除去導管に可動式に接続されているアクチュエータに、作動信号を出力することとを含む。流体除去導管は、アクチュエータが閉鎖位置にある時には閉じ、かつ、アクチュエータが開放位置にある時には開く。方法は、出力することに応じて、アクチュエータを開放位置へと動かすことと、アクチュエータが開放位置にある時に、流体除去導管の中に限定空間内の流体を引き込むことも、含む。方法は、流体除去導管に連結されている真空発生装置を用いて、真空を発生させることも含みうる。真空は、アクチュエータが開放位置にある時に、流体除去導管の中に限定空間内の流体を引き込む。
【００１６】
本開示のある種の実施形態は、内部キャビンと内部キャビンの中のトイレとを含む、輸送体を提供する。トイレは便器及び流し台を含む。便器は、人が関与して、水洗浄バルブ及び浄化バルブが開く湿式浄化を作動させるよう、構成される。少なくとも１つの流体除去導管が、便器と流し台の一方又は両方に連結される。真空発生装置が、流体除去導管（複数可）に連結される。真空発生装置は、流体除去導管（複数可）内に真空を発生させるよう構成される。
【００１７】
輸送体は、トイレ内に紫外（ＵＶ）光アセンブリも含む。ＵＶ光アセンブリは、消毒サイクル中に、便器と流し台の一方又は両方の中に、又はそれらに対して、ＵＶ光を放出するよう構成される。ＵＶ光制御ユニットがＵＶ光アセンブリに連結される。ＵＶ光制御ユニットは、消毒サイクル中にＵＶ光アセンブリを作動させ、制御する、作動信号を出力する。
【００１８】
少なくとも１つのアクチュエータが、ＵＶ光制御ユニットに動作可能に連結され、かつ、流体除去導管（複数可）に可動式に接続される。流体除去導管（複数可）は、アクチュエータ（複数可）が閉鎖位置にある時には閉じ、かつ、アクチュエータ（複数可）が開放位置にある時には開く。アクチュエータ（複数可）は、ＵＶ光制御ユニットが作動信号を出力することに応じて、開放位置へと動く。アクチュエータ（複数可）が開放位置にある時に、限定空間内の流体は、流体除去導管（複数可）の中に引き込まれる。真空発生装置が、アクチュエータが開放位置にある時に流体除去導管（複数可）の中に限定空間内の流体を引き込む、真空を発生させる。
【００１９】
排出ポートは、流体除去導管（複数可）に連結される。流体除去導管（複数可）内に引き込まれた流体は、排出ポートを通じて輸送体の外に排出される。
【図面の簡単な説明】
【００２０】
【図１】本開示の一実施形態による、限定空間から流体を除去するよう構成されている流体除去システムの概略図を示す。
【図２】本開示の一実施形態による、限定空間から流体を除去するよう構成されている流体除去システムの概略図を示す。
【図３】本開示の一実施形態による、トイレ内の便器及び流し台に連結された流体除去システムの概略図を示す。
【図４】本発明の一実施形態による、汚物タンク及び真空発生装置に接続された便器の概略図を示す。
【図５】本発明の一実施形態による、流体除去システムの概略コントロール図を示す。
【図６】本開示の一実施形態による、単純化された流し台の側方図を示す。
【図７】本発明の一実施形態による、流体除去システムの概略コントロール図を示す。
【図８】本開示の一実施形態による、航空機の上方斜視図を示す。
【図９Ａ】本開示の一実施形態による、航空機の内部キャビンの上面図を示す。
【図９Ｂ】本開示の一実施形態による、航空機の内部キャビンの上面図を示す。
【図１０】本開示の一実施形態による、トイレの内部斜視図を示す。
【図１１】本開示の一実施形態による、限定空間から流体を除去する方法のフロー図を示す。
【発明を実施するための形態】
【００２１】
ある種の実施形態の前述の概要及び下記の詳細説明は、付随する図面と併せて読めば、より深く理解されよう。本書において、単数形で、及び、「１つの（「ａ」又は「ａｎ」）」という語の後に記載される要素又はステップは、複数のかかる要素又はステップを必ずしも除外しないと、理解すべきである。更に、「一実施形態／１つの実施形態（ｏｎｅｅｍｂｏｄｉｍｅｎｔ）」への言及は、追加の実施形態の存在を除外すると解釈されることを意図しておらず、かかる追加の実施形態も、記載されている特徴を包含する。更に、反対に明示的に記述されない限り、特定の条件を有する一又は複数の要素を「備える（ｃｏｍｐｒｉｓｉｎｇ）」又は「有する（ｈａｖｉｎｇ）」実施形態は、かかる条件を有しない追加の要素を含みうる。
【００２２】
本開示のある種の実施形態は、民間航空機に搭載されたトイレなどの限定空間から、一又は複数の流体（例えばオゾン、淀んだ空気、流し台の中の水など）を除去するよう構成されている、流体除去システムを提供するこの流体除去システムは、一又は複数のパイプやチューブなどといった流体除去導管のアクチュエータに連結された、少なくとも１つの動作可能なサブシステムを含む。真空発生装置が流体除去導管に連結される。例えば、真空発生装置が、流体除去導管内に配置されうる。
【００２３】
少なくとも１つの実施形態では、アクチュエータは流体除去導管内のバルブである。少なくとも１つの実施形態では、アクチュエータは、流体除去導管内のプランジャ及び／又は排水プラグに連結された、ソレノイドやモータ（例えば、空圧モータ、油圧モータ、又は電動モータ）である。第１位置又は閉鎖位置において、アクチュエータは、真空発生装置によって発生した真空力が流体除去導管の中に限定空間内の流体を引き込まないように、流体除去導管を閉じる。第２位置又は開放位置において、アクチュエータは、真空発生装置によって発生した真空力が流体除去導管の中に限定空間内の流体を引き込むように、流体除去導管を開く。真空力は、より高圧の周囲空気がより低圧の空間体積（例えば真空空間）と相互作用することにより、発生する。要するに、真空力は、圧力不均衡を通じて発生しうる。
【００２４】
少なくとも１つの実施形態では、動作可能なサブシステムは、消毒サイクル中のＵＶ光の放出を通じて限定空間を部分的に消毒するよう構成されている、紫外（ＵＶ）光システムである。ＵＶ光システムは、一又は複数の有線接続又は無線接続を通じて、アクチュエータに連結されうる。例えば、ＵＶ光アセンブリの動作を制御するＵＶ光制御ユニットが、一又は複数の有線接続又は無線接続を通じて、アクチュエータに連結されうる。ＵＶ光制御ユニットが限定空間を部分的に消毒するためにＵＶ光アセンブリを動作させる際に、ＵＶ光アセンブリから放出されたＵＶ光は、空気を通過する。ＵＶ光と空気との相互作用は、オゾンを発生させうる。そのため、ＵＶ光システムが作動する際、ＵＶ光制御ユニットは、ＵＶ光アセンブリ及びアクチュエータに作動信号を出力する。作動信号は、アクチュエータに対する開放信号を含みうる。少なくとも１つの実施形態では、アクチュエータは、作動信号（この作動信号がＵＶ光アセンブリを作動させ、制御する）を開放信号と解釈しうる（例えば、作動信号によって起動されるよう構成されうる）。ＵＶ光制御ユニットによって出力された作動信号は、アクチュエータを開放位置へと動かす。そのため、流体除去導管が限定空間に対して開き、真空発生装置によって発生した真空力が、流体除去導管内に、かつ、流体を外部環境へと排出する換気孔などの排出ポート内に、発生したオゾンを含む流体を引き込む。消毒サイクルが終了すると、ＵＶ光システムは動作を停止する。これにより、アクチュエータが閉鎖位置に戻るように動く。少なくとも１つの実施形態では、ＵＶ光システムは、アクチュエータに閉鎖信号を送信しうる。少なくとも１つの他の実施形態では、ＵＶ光システムは、消毒サイクル中にアクチュエータに作動信号を出力してよく、消毒サイクルが終了すると、アクチュエータへの作動信号の送信を停止しうる。これにより、アクチュエータが閉鎖位置に戻るように動く。
【００２５】
流体除去システムは、アクチュエータに連結されている、ボタン、レバー、ハンドル、及び／又はそれらに類似したものといった、関与部材を含みうる。例えば、関与部材は、機械的及び／又は電気的に、アクチュエータに連結されうる。関与部材は、限定空間内にあってよく、限定空間から流体（例えば淀んだ空気や流し台の中の水など）を除去するために、人が関与して（例えば押す、引くなど）、アクチュエータを開放位置へと動かすよう、構成される。例えば、トイレの中の人は、トイレから淀んだ又は悪臭を伴う空気を除去するために、関与部材に関与しうる。少なくとも１つの実施形態では、関与部材は、便器又は流し台に連結されている少なくとも１つのアクチュエータに連結される。そのため、関与部材は、（典型的には連続的な給気及び連続的な排気を有する）別個の換気装置又は排出ファンとは対照的に、便器と流し台の一方又は両方を通じて流体（例えばオゾン）を除去するために、関与を受けるよう構成される。
【００２６】
少なくとも１つの実施形態では、動作可能なサブシステムは、民間航空機に搭載されたフライトコンピュータなどの、輸送体に搭載されたコンピュータである。コンピュータは、一又は複数の有線接続又は無線接続を通じて、アクチュエータに連結される。コンピュータは、流体除去導管を開くために、アクチュエータに開放信号を出力しうる。例えば、乱気流の期間中に航空機において、コンピュータは、流し台の中の水をトイレから除去するように、アクチュエータに開放信号を出力しうる。そうしなければ、乱気流によって、流し台の中の水がトイレの床にこぼれうるからである。
【００２７】
本開示のある種の実施形態は、限定空間（例えばトイレ、ギャレー、内部キャビン、又は、輸送体上の他の空間）と、ＵＶ光消毒システムと、少なくとも１つの乾燥した入口部を介して限定空間内の空気体積と流体連通している真空発生装置とを含む、システムを提供する。乾燥した入口部を通る流体の流れは、制御システムによって制御されうる。この空気体積は、オゾンなどの浄化副生成物を内包しうる。
【００２８】
本開示のある種の実施形態は、トイレに二重の流体除去性能を提供する。第１の流体除去態様は、便器の内容物を浄化するために使用される湿式浄化である。第２の流体除去態様は、トイレのガス状内容物の一部又は全部を除去するために使用されうる、乾式浄化である。少なくとも１つの実施形態では、乾式浄化は、ＵＶ光消毒システムの消毒サイクル中に作動する。
【００２９】
図１は、本開示の一実施形態による、限定空間１０２から流体を除去するよう構成されている、流体除去システム１００の概略図を示している。限定空間１０２は、一又は複数の壁１０８を通じて天井１０６に接続された床１０４を含む。ドア（図１には図示せず）が、壁１０８のうちの一又は複数に可動式に固定されうる。
【００３０】
流体除去導管１１０が、限定空間１０２に流体連通するように接続される。流体除去導管１１０は、この空間から一又は複数の流体を受容するよう構成されている、パイプやチューブなどでありうる。流体除去導管は、便器又は流し台に連結された、（例えば汚物チャネル又は排出チャネル、排水管などの）配管でありうる。
【００３１】
真空発生装置１１２が、流体除去導管１１０に連結される。例えば、真空発生装置１１２は、流体除去導管１１０内に配置されうる。真空発生装置１１２は、流体除去導管１１０を通じて換気孔などの排出ポート１１４へと一又は複数の流体を引き込む、真空力又は吸引力を発生させ、流体（複数可）は、かかる排出ポート１１４を通じて限定空間１０２から排出される。
【００３２】
流体除去システム１００は、アクチュエータ１２２に動作可能に連結された、少なくとも１つの動作可能なサブシステム１２０を含み、アクチュエータ１２２は、流体除去導管１１０に連結される。動作可能なサブシステム１２０は、一又は複数の有線接続又は無線接続を通じて、アクチュエータ１２２に連結される。少なくとも１つの実施形態では、動作可能なサブシステム１２０は、一又は複数の枢動アーム、ギア、プーリ、可動軌道、鎖、及び／又はそれらに類似したものなどを通じて、アクチュエータ１２２と機械的につながる。動作可能なサブシステム１２０は、紫外光消毒システムや輸送体に搭載されたコンピュータ（例えばフライトコンピュータ）などでありうる。流体除去システム１００は、アクチュエータ１２２に動作可能に連結されている、限定空間１０２の内部又は外部の関与部材（例えばボタン、ハンドル、レバーなど）も含みうる。
【００３３】
少なくとも１つの実施形態では、アクチュエータ１２２は流体除去導管１１０内のバルブを含む。オプションで、又は追加的に、アクチュエータ１２２は、流体除去導管１１０内の排水プラグに連結され、かつ／又は、流体除去導管１１０に接続された、ソレノイドやモータなどを含む。アクチュエータ１２２は、閉鎖位置において、限定空間１０２に対して流体入口部１２４が閉じるように、流体除去導管１１０を閉じる。そのため、閉鎖状態のアクチュエータ１２２によって、真空発生装置１２２が流体除去導管１１０内へと限定空間１０２内の流体を引き込むことが、妨げられる。アクチュエータ１２２は、開放位置において、限定空間１０２に対して流体入口部１２４が開くように、限定空間１０２に対して流体除去導管１１０を開く。開放位置において、真空発生装置１２２は、限定空間１０２内の流体を、流体除去導管１１０内へと引き込み、かつ、排出ポート１１４を通じて外部環境（例えば限定空間１０２が配置されている輸送体の外部）へと引き出す。
【００３４】
動作において、動作可能なサブシステム１２０は作動する。例えば、動作可能なサブシステム１２０は、限定空間１０２の一又は複数の部分を消毒するよう作動する、ＵＶ光消毒システムでありうる。動作可能なサブシステム１２０によって、作動信号が出力される。作動信号は、動作可能なサブシステム１２０の少なくとも１つの態様の動作を作動させ、制御する。動作可能なサブシステム１２０が作動する際に、動作可能なサブシステム１２０は、アクチュエータ１２２に開放信号を出力する。例えば、開放信号は、動作可能なサブシステム１２０によって出力される作動信号でありうる。少なくとも１つの実施形態では、アクチュエータ１２２は、作動信号を受信することに応じて開放位置に動く。別様には、この作動信号は、動作可能なサブシステム１２０の少なくとも１つの態様の動作を作動させ、制御するよう設定される。動作可能なサブシステム１２０から開放信号を受信することに応じて、アクチュエータ１２２は、流体（例えばオゾン、淀んだ／悪臭を伴う空気、水など）が真空発生装置１１２によって発生した真空力を通じて流体除去導管１１０内に引き込まれるように、流体除去導管１１０を開く。流体は次いで、限定空間１０２又は限定空間１０２を内包する構造物の外に流体を排出する換気孔などの排出ポート１１４に引き込まれ、そこから出る。動作可能なサブシステム１２０が動作を停止する際に、アクチュエータ１２２は閉鎖位置に戻るように動き、これにより、流体除去導管１１０が閉じる。例えば、動作可能なサブシステム１２０が作動信号の出力を停止すると、アクチュエータ１２２は、閉鎖位置に戻るように動く。
【００３５】
図２は、本開示の一実施形態による、限定空間１０２から流体を除去するよう構成されている、流体除去システム１００の概略図を示している。限定空間１０２は、航空機に搭載されたトイレでありうる。図示しているように、流体除去システム１００は、ＵＶ光サブシステム２００などの動作可能なサブシステム、関与部材２０２、及び、航空機に搭載されたフライトコンピュータなどのコンピュータ２０４の形態の、別の動作可能なサブシステムを含む。オプションで、流体除去システム１００は、より多数又は少数の、図示されている動作可能なサブシステムを含みうる。例えば、流体除去システム１００は、ＵＶ光消毒システム２００だけを含みうる。少なくとも１つの他の実施形態では、流体除去システム１００は関与部材２０２だけを含みうる。少なくとも１つの他の実施形態では、流体除去システム１００は、コンピュータ２０４だけを含みうる。
【００３６】
ＵＶ光消毒システム２００は、ＵＶ光制御ユニット２０８に動作可能に連結されたＵＶ光アセンブリ２０６を含む。ＵＶ光アセンブリ２０６は、消毒サイクル中に限定空間内の一又は複数の構造物に対してＵＶ光を放出するよう構成されている、一又は複数のＵＶ光要素２１０（例えば発光ダイオード（ＬＥＤ））、電球、光ファイバ要素、及び／又はそれらに類似したものを、含みうる。少なくとも１つの実施形態では、ＵＶ光要素２１０は、遠紫外光を放出するよう構成される。あるいは、ＵＶ光要素２１０は、ＵＶＣ光、ＵＶＢ光、又はＵＶＡ光などの、他の種類のＵＶ光を放出するよう構成されうる。
【００３７】
ＵＶ光制御ユニット２０８は、一又は複数の有線接続又は無線接続を通じて、ＵＶ光アセンブリ２０６に連結されており、かつ、ＵＶ光アセンブリ２０６の動作を制御するよう構成される。ＵＶ光制御ユニット２０８は作動信号を出力し、この作動信号はＵＶ光アセンブリ２０６によって受信される。作動信号は、ＵＶ光アセンブリ２０６が限定空間１０２内の一又は複数の構造物に対してＵＶ光を放出する消毒サイクル中に、ＵＶ光アセンブリ２０６を作動させ、制御する。ＵＶ光制御ユニット２０８は、消毒サイクルについてのデータを記憶するメモリを含みうるか、若しくは、かかるメモリに連結されうる。
【００３８】
ＵＶ光消毒システム２００は、例えば一又は複数の有線接続又は無線接続を通じて、アクチュエータ１２２にも連結される。ＵＶ光消毒システム２００が消毒サイクル中に作動する際に、ＵＶ光制御ユニット２０８は、アクチュエータ１２２に作動信号を出力する。作動信号は、アクチュエータに対する別の開放信号を含みうる。少なくとも１つの実施形態では、アクチュエータ１２２は、作動信号によって単に起動されて開放位置になる。別様には、この作動信号は、ＵＶ光アセンブリ２０６を作動させ、制御するよう設定される。そのため、作動信号自体は開放信号である。アクチュエータ１２２は、開放信号を受信することに応じて、限定空間１０２内でＵＶ光と空気との相互作用によって発生したオゾンが、真空発生装置１１２によって発生した真空力を介して、開放状態の流体入口部１２４を通って流体除去導管１１０内に引き込まれるように、流体除去導管１１０を開く。真空発生装置１１２は、排出ポート１１４内に流体除去導管１１０内のオゾンを引き込み、この排出ポート１１４を通じて、オゾンが外部環境へと排出される。ＵＶ光消毒システム２００が動作を停止すると、ＵＶ光制御ユニット２０８は、アクチュエータ１２２への開放信号の出力を停止し、それにより、流体除去導管１１０が閉じる。
【００３９】
上述のように、ＵＶ光消毒システム２００の作動は、オゾンが流体除去導管１１０を介して限定空間１０２から除去されるように、アクチュエータ１２２による流体除去導管１１０の開放を引き起こす。アクチュエータ１２２を開放位置へと動かすために、オプションで、関与部材２０２には人が手動で関与しうる。例えば、淀んだ又は悪臭を伴う空気や水などが限定空間１０２から除去されうるようにアクチュエータ１２２を開くために、関与部材２０２には人が手動で関与しうる。関与部材２０２は、限定空間２０２の内部、又は、限定空間１０２の外部にありうる（例えば、限定空間１０２のドア又は外壁表面に装着されうる）。
【００４０】
関与部材２０２は、アクチュエータ１２２に動作可能に連結される。例えば、関与部材２０２は、一又は複数の有線接続又は無線接続を通じて、アクチュエータ１２２に電気的に連結されうる。少なくとも１つの他の実施形態では、関与部材２０２は、枢動アーム、プーリ、ギア、鎖、機械的軌道、及び／又はそれらに類似したものなどの一又は複数の機械的リンクを通じて、アクチュエータ１２２に機械的に連結されうる。
【００４１】
動作において、限定空間１０２からの流体（例えば淀んだかつ／又は悪臭を伴う空気）の換気、排出、若しくは除去（及び、除去された流体と、例えば空気源及び／又は主要キャビンの空気体積などからの新鮮な空気との置換）を人が所望した場合、その人は、例えばボタンを押すことやレバーを引くことなどによって、関与部材２０２に関与する。人によるかかる関与に応じて、関与部材２０２は、（例えば開放信号の出力を通じて、）アクチュエータ１２２を開く。アクチュエータ１２２は次いで、流体除去導管１１０を開き、それにより、流体が限定空間１０２の外に引き出され、排出ポート１１４の外に排出される。少なくとも１つの実施形態では、関与部材２０２は、アクチュエータ１２２に電気的な開放信号を送信しうる。これにより、アクチュエータ１２２が、所定の時間量（例えば１０秒以下）にわたって開放位置に留まる。
【００４２】
少なくとも１つの実施形態では、関与部材２０２は、便器又は流し台に連結されている少なくとも１つのアクチュエータ１２２に連結される。この様態では、関与部材２０２は、（典型的には迅速な空気浄化ができない）別個の換気ファンの代わりに、便器及び／又は流し台を通じて限定空間１０２から流体を除去するよう、手動で関与を受けうる。
【００４３】
上述のように、アクチュエータ１２２は、ＵＶ光消毒システム２００の作動を通じて、かつ／又は、関与部材２０２の関与を通じて、開放位置へと動きうる。言及したとおり、流体除去システム１００は、アクチュエータ１２２に動作可能に連結された、遠隔コンピュータ２０４も含みうる。例えば、遠隔コンピュータ２０４は、航空機に搭載されたフライトコンピュータなどの、輸送体に搭載されたコンピュータでありうる。コンピュータ２０４は、例えば一又は複数の有線接続又は無線接続を通じて、アクチュエータ１２２に動作可能に連結される。コンピュータ２０４は、所定の基準に基づいて、アクチュエータ１２２に開放信号（例えば、輸送体の動作に関する作動信号）を自動的に送信しうる。例えば、コンピュータ２０４は、航空機の付近の乱気流の存在について判定することがあり、このことは次いで、コンピュータ２０４によるアクチュエータ１２２への開放信号の出力を引き起こしうる。これにより、流体除去導管１１０が開く。トイレ（限定空間１０２の一例）の流し台の中の水などの流体が、次いで、上述のように、真空発生装置１１２によって発生した真空力を介して、開放状態の流体除去導管１１０内に引き込まれ、限定空間１０２から除去されうる。この様態では、航空機が乱気流を通る時に、流し台の中の水は、限定空間１０２の床にこぼれる代わりに、限定空間１０２の外に引き出されうる。少なくとも１つの他の実施形態では、アクチュエータ１２２を開放位置へと動かして、望みどおりに限定空間１０２から流体（複数可）を除去するために、人が、入力デバイス（例えばキーボード、マウス、タッチスクリーンなど）を通じて、コンピュータ２０４に開放信号を入力しうる。
【００４４】
オプションで、流体除去システム１００は、ＵＶ光消毒システム２００、関与部材２０２、及びコンピュータ２０４の３つを全て含むわけではないことがある。
【００４５】
本書で使用する「制御ユニット（ｃｏｎｔｒｏｌ  ｕｎｉｔ）」、「中央処理装置（ｃｅｎｔｒａｌ  ｐｒｏｃｅｓｓｉｎｇ  ｕｎｉｔ）」、「ＣＰＵ」、「コンピュータ（ｃｏｍｐｕｔｅｒ）」などの語は、マイクロコントローラ、縮小指令セットコンピュータ（ＲＩＳＣ）、特定用途向け集積回路（ＡＳＩＣ）、論理回路、及び、本書に記載の機能を実行可能なハードウェア、ソフトウェア、又はこれらの組み合わせを含む他の任意の回路又はプロセッサを使用するシステムを含む、プロセッサベース又はマイクロプロセッサベースの、任意のシステムを含みうる。これらは例示にすぎず、ゆえに、かかる語の定義及び／又は意味を、いかなる仕方においても限定することを意図していない。例えば、ＵＶ光制御ユニット２０８及びコンピュータ２０４は、一又は複数のプロセッサでありうるか、又は一又は複数のプロセッサを含みうる。
【００４６】
ＵＶ光制御装置２０８及びコンピュータ２０４は、データを処理するために、一又は複数のデータ記憶ユニット又はデータ記憶要素（例えば一又は複数のメモリ）に記憶される一連の指令を実行するよう、構成される。例えば、ＵＶ光制御ユニット２０８及びコンピュータ２０４は各々、一又は複数のメモリを含みうるか、又は一又は複数のメモリに連結されうる。データ記憶ユニットは、所望又は必要に応じて、データ又は他の情報も記憶しうる。データ記憶ユニットは、情報ソース又は処理マシン内の物理メモリ要素という形態でありうる。
【００４７】
一連の指令は、処理機としてのＵＶ光制御装置２０８及びコンピュータ２０４に指示を与えて、本書に記載の主題の様々な実施形態の方法及びプロセスといった特定の動作を実施する、様々なコマンドを含みうる。一連の指令はソフトウェアプログラムの形態でありうる。ソフトウェアは、システムソフトウェア又はアプリケーションソフトウェアなどの様々な形態でありうる。更に、ソフトウェアは、別々のプログラムの集合体、より大きなプログラム内のプログラムサブセット、又はプログラムの一部分という形態でありうる。ソフトウェアは、オブジェクト指向性プログラミングの形態のモジュラープログラミングも含みうる。処理機による入力データの処理は、ユーザのコマンドに応じたものでありうるか、従前の処理の結果に応じたものでありうるか、又は、別の処理機によってなされたリクエストに応じたものでありうる。
【００４８】
本書の実施形態の図は、ＵＶ光制御ユニット２０８などの一又は複数の制御ユニット又は処理ユニットを示していることがある。この処理ユニット又は制御ユニットが、本書に記載の動作を実施する関連指令（例えば、コンピュータハードドライブ、ＲＯＭ、ＲＡＭなどといった有形かつ非一過性のコンピュータ可読記憶媒体に記憶されたソフトウェア）を有するハードウェアとして実装されうる、回路、回路構成、又はそれらの部分を表しうることを、理解されたい。ハードウェアは、本書に記載の機能を実施するためにハードウェアにより実現される（ｈａｒｄｗｉｒｅｄ）、状態機械回路構成を含みうる。オプションで、ハードウェアは、マイクロプロセッサ、プロセッサ、コントローラなどといった一又は複数の論理ベースのデバイスを含む、かつ／又は、かかる論理ベースのデバイスに接続される、電子回路を含みうる。オプションで、ＵＶ光制御装置２０８は、フィールドプログラマブルゲートアレイ（ＦＰＧＡ）、特定用途向け集積回路（ＡＳＩＣ）、マイクロプロセッサ（複数可）、及び／又はそれらに類似したもののうちの一又は複数といった、処理回路構成を表しうる。様々な実施形態における回路は、本書に記載の機能を実施するために一又は複数のアルゴリズムを実行するよう、構成されうる。一又は複数のアルゴリズムは、フロー図又は方法に明示的に特定されているか否かにかかわらず、本書で開示されている実施形態の諸態様を含みうる。
【００４９】
本書において、「ソフトウェア（ｓｏｆｔｗａｒｅ）」及び「ファームウェア（ｆｉｒｍｗａｒｅ）」という語は、入れ替え可能であり、かつ、ＲＡＭメモリ、ＲＯＭメモリ、ＥＰＲＯＭメモリ、ＥＥＰＲＯＭメモリ、及び、非揮発性ＲＡＭ（ＮＶＲＡＭ）メモリを含むデータ記憶ユニット（例えば一又は複数のメモリ）に記憶されている、コンピュータによって実行される任意のコンピュータプログラムを含む。上記のデータ記憶ユニットの種類は例示に過ぎず、ゆえに、コンピュータプログラムを記憶するのに使用可能なメモリの種類について限定を行うものではない。
【００５０】
図３は、本開示の一実施形態による、トイレ３０４内の便器３００及び流し台３０２に連結された流体除去システム１００の概略図を示している。トイレ３０４は、限定空間１０２（図１、図２参照）の一例である。この実施形態では、動作可能なサブシステムは、図２に図解しているＵＶ光消毒システム２００である。
【００５１】
便器３００は、ハウジング３０６（例えば椀状体又は椀状体を支持する構造物）と、ハウジング３０６に可動式に固定されたカバー３０８（例えばシート及び／又は蓋）とを含む。カバー３０８が閉じている時に、ハウジング３０６とカバー３０８との間に空隙３０９が形成される。便器３００は、ハウジング３０６の椀状体内部の内容物を浄化するために押されるよう構成されている、浄化ボタン３１０も含む。浄化ボタン３１０が押されると、水がハウジング３０６の椀状体内部を水洗浄し、バルブなどのアクチュエータ１２２ａは、真空発生装置１１２によって発生した真空力が便器３００に連結された流体除去導管１１０ａを介して椀状体の内容物を汚物タンク３１２内に引き込むように、開放位置へと動く。アクチュエータ１２２ａは、ＵＶ光消毒システム２００のＵＶ光制御ユニット２０８にも動作可能に連結される（例えば通信可能である）。
【００５２】
言及したとおり、便器を浄化するために人が浄化ボタン３１０を押すと、水が椀状体内部を水洗浄し、アクチュエータ１２２ａ（例えばバルブ）は、椀状体内部の内容物が流体除去導管１１０ａを介して汚物タンク３１２内に引き込まれるように、開放位置へと動く。ＵＶ光消毒サイクル中（例えば、トイレ３０４内に人がいない時）に、ＵＶ光消毒システム２００は、上述のように、例えばＵＶ光制御ユニット２０８を介して、アクチュエータ１２２ａに作動信号を出力する。アクチュエータ１２２ａは、作動信号を受信すると、開放位置へと動き、これにより、流体除去導管１１０ａが開き、かつ、真空発生装置１１２によって発生した真空力が、トイレ３０４内のガス（例えばＵＶ消毒サイクル中に発生したオゾン）を、空隙３０９を通じて流体除去導管１１０ａ内に引き込む。ガスは次いで、換気孔などの排出ポート１１４を通じて排出される。
【００５３】
留意すべきことに、消毒サイクル中、便器３００に連結されたアクチュエータ１２２ａ（バルブなど）に開放信号が送信される。しかし、この開放信号は、便器３００の浄化ボタン３１０に影響を与えない。つまり、ＵＶ光消毒システム２００によって出力された開放信号は、便器３００の浄化ボタン３１０も水洗浄バルブも作動させない。この様態では、消毒サイクル中に、ＵＶ光消毒システム２００は、水で便器３００の椀状体内部を水洗浄することなく、空隙３０９を通じて便器３００内にガスを引き込み、かつ、開放状態の流体除去導管１１０ａを通じてガスをトイレ３０４の外に引き出す、乾式浄化を作動させる。
【００５４】
流し台３０２は、流体除去導管１１０に接続する排水部３１８を有する、ベイシン（ｂａｓｉｎ）３１６を含む。（排水プラグに連結された）プランジャ３２０が、開放位置と閉鎖位置との間で選択的に動くよう構成される。プランジャ３２０は、閉鎖位置において、水がベイシン３１６内に保持されるように、排水部３１８を閉じる。プランジャ３２０は、開放位置において、水が排水部３１８を通じて流体除去導管１１０ｂ内へと排水されるように、排水部３１８を開く。
【００５５】
アクチュエータ１２２ｂは、プランジャ３２０に連結されうる。アクチュエータ１２２ｂは、ＵＶ光消毒システム２００のＵＶ光制御ユニット２０８に動作可能に連結された（例えば通信可能である）、ソレノイド、電動モータ、空圧モータ、油圧モータなどでありうるか、又はそれらを含みうる。オプションで、アクチュエータ１２２ｂは、関与部材（例えば、図２に示す関与部材２０２）、及び／又は、コンピュータ（図２に示すコンピュータ２０４など）に、動作可能に連結されうる。
【００５６】
消毒サイクル中に、ＵＶ光消毒システム２００は、流し台３０２の排水部３１８に連結されたアクチュエータ１２２ｂに、作動信号を出力する。そのため、トイレ３０４内のガス（例えばオゾン）は、真空発生装置１１２によって発生した真空力を介して、排水部３１８内へと、かつ、流体除去導管１１０ｂに、引き込まれる。ガスは次いで、排出ポート１１４を通じて排出される。
【００５７】
オプションで、ＵＶ光消毒システム２００は、アクチュエータ１２２ａだけに動作可能に連結されうる（例えば電気的に通信可能でありうる）。少なくとも１つの他の実施形態では、ＵＶ光消毒システム２００は、アクチュエータ１２２ａだけに動作可能に連結されうる。
【００５８】
図３に示しているように、流体除去導管１１０ａは、便器３００に連結された、既存の汚物除去導管でありうる。同様に、流体除去導管１１０ｂは、流し台３０２に連結された、既存の排水チャネルでありうる。あるいは、流体除去導管１１０ａは、便器３００に連結された既存の汚物除去導管とは別個のものでありうる。あるいは、流体除去導管１１０ｂも、流し台３０２に連結された既存の排水チャネルとは別個のものでありうる。
【００５９】
ＵＶ光制御ユニット２０８は、消毒サイクル中にＵＶ光アセンブリ２０６を動作させる、制御信号（例えば作動信号）を出力する。作動信号は、アクチュエータ１２２ａ及び／又はアクチュエータ１２２ｂの開放を引き起こす、開放信号を提供する。アクチュエータ１２２ａ及び１２２ｂは、開放位置において、それぞれの流体除去導管１１０ａ及び１１０ｂを開き、それにより、トイレ３０４内の流体が流体除去導管１１０ａ及び１１０ｂ内に引き込まれ、トイレ３０４から除去されることを可能にする（流体は次いで、排出ポート１１４を通じて排出されうる）。
【００６０】
ＵＶ光消毒システム１００が、トイレ３０４の一又は複数の部分（例えば便器３００及び流し台３０２）を消毒するために、消毒サイクル中に動作すると、アクチュエータ１２２ａは、便器３００が空気のみの浄化（つまり乾式浄化）を作動させるように、開放位置になる。少なくとも１つの実施形態では、ＵＶ光要素２１０が、ＵＶ光を便座（例えばカバー３０８）に導く。そのため、オゾンが発生してもその大部分又は全ては便器３００の付近にありうる。真空発生装置１１２によって発生した真空力が、ガス（空気及びオゾンを含む）を便器３００の椀状体内部に、かつ流体除去導管１１０ａ内に引き込み、それにより、オゾンが発生してもその大部分又は全てが、トイレ１０４の他の部分に拡散するか広がる前に、トイレ３０４から除去されることが、確実になる。そのため、流体除去システム１００は、フィルタ又は特別なポンプを使用することなく、迅速、効率的、かつ効果的に、トイレ３０４からオゾンを除去する。
【００６１】
少なくとも１つの実施形態では、ＵＶ光アセンブリ２０６がＵＶ光を放出している間、及び／又は、ＵＶ光の放出後の決まった、事前に設定された時間量にわたって、乾式浄化が起こる。少なくとも１つの実施形態では、ＵＶ光アセンブリ２０６が作動すると（つまり、ＵＶ光が放出されると）、乾式浄化が始まり、ＵＶ光アセンブリ２０６が動作を停止した後でも、トイレ３０４内の一又は複数のオゾンセンサがトイレ３０４内で安全レベルのオゾンを検出するまで、乾式浄化は続く。
【００６２】
別個の専用換気孔とは対照的に、図３に関連して図示及び説明されている流体除去システム１００は、安価かつより軽量であり、空気をキャビン内から外部に除去するための余分な導管の取り付けを必要としない。更に、流体除去システム１００は、機外に廃棄される（又はフィルタを通る）流体の量を減少させる。流体が、消毒サイクル中のオゾン発生に近い場所から除去されうるからである。更に、流体除去システム１００は、消毒サイクル中にトイレ３０４からオゾンを自動的に除去し、そのため、オゾンレベルを検出するための別個のオゾンセンサを必要とせずに、トイレ３０４内のオゾンを不存在レベル、最少レベル、若しくは安全レベルに保つことを、確実にしうる。また、乾式浄化は、水を全く使用せずに、トイレ３０４からオゾンを除去する。
【００６３】
図４は、本発明の一実施形態による、汚物タンク３１２及び真空発生装置１１２に接続された便器３００の概略図を示している。図示しているように、アクチュエータ１２２ａは、便器３００に連結された浄化バルブでありうる。便器３００は、例えば便器３０４の浄化ボタン３１０が押されると作動する、水洗浄バルブ４００も含みうる。水洗浄バルブ４００が開くと、水源（例えば輸送体に搭載されたタンク）からの水がハウジング３０６の椀状体内部を水洗浄する。ＵＶ光消毒システム２００（図２及び図３参照）などの動作可能なサブシステムは、浄化バルブアクチュエータ１２２ａに動作可能に連結されるが、水洗浄バルブ４００には連結されない。したがって、人が便器３００を浄化すると、椀状体内部の内容物が真空発生装置１１２によって発生した真空力を通じて汚物タンク３１２内に引き込まれるように、水洗浄バルブ４００及び浄化バルブアクチュエータ１２２ａが開く。しかし、動作可能なサブシステムが作動すると、浄化バルブアクチュエータ１２２ａだけが開き、それにより、開放状態の浄化バルブアクチュエータ１２２ａを介して、便器３００の乾式浄化が作動する。乾式浄化中、浄化バルブアクチュエータ１２２ａが開いており、水洗浄バルブ４００が閉じている時に、便器３００の付近のガスは、空隙３０９を通じて椀状体内部に、かつ、真空発生装置１１２によって発生した真空力を通じて開放状態の流体除去導管１２２ａ内に、引き込まれる。流体除去導管１１０内のガスは、次いで、排出ポート１１４を通じて排出される。排出ポート１１４は、流体除去導管１１０の一部でありうるか、又は、排出導管４０２を通じて流体除去導管１１０に接続されうる。
【００６４】
図５は、本発明の一実施形態による、流体除去システム１００の概略コントロール図を示している。図示しているように、便器３００の浄化ボタン３１０は、水洗浄バルブ４００（図４参照）を制御する水洗浄タイマ５００、及び、浄化バルブアクチュエータ１２２ａ（図３参照）を制御する浄化タイマ５０２に、連結されうる。浄化ボタン３１０は、押されると、（水洗浄バルブ４００を開く）水洗浄タイマ５００と（浄化バルブアクチュエータ１２２ａを開く）浄化タイマ５０２の両方を開始する。それにより、上述のように、便器３００が水洗浄され、椀状体内部の内容物が除去される。
【００６５】
対称的に、ＵＶ消毒システム２００が作動すると、ＵＶ光制御ユニット２０８が、消毒サイクル中にＵＶ光アセンブリ２０６を作動させ、制御する作動信号５０４を出力し、かつ、所定の時間にわたって上述のように浄化バルブ１２２ａを開く、換気タイマ５０６を開始する。ＵＶ光制御ユニット２０８によって出力された作動信号は、水洗浄タイマ５００には送信されない。そのため、ＵＶ光制御ユニット２０８によって出力された作動信号は、水洗浄バルブ４００を開かない。代わりに、ＵＶ光制御ユニット２０８によって出力された作動信号は、水が便器３００の椀状体内部を水洗浄するわけではない、乾式浄化を開始する。
ＵＶ光制御ユニット２０８の換気タイマ５０６、及び、便器３００の浄化タイマ５０２は、ＯＲゲート５０８を通じて浄化バルブ１２２ａに連結されうる。そのため、浄化タイマ５０２と換気タイマ５０６のいずれかが作動すると、浄化バルブ１２２ａが開く。
【００６６】
図示しているように、浄化タイマ５０２と換気タイマ５０６とは別個のものである。あるいは、浄化タイマ５０２と換気タイマ５０６は、同一のタイマでありうる。
【００６７】
各タイマは、便器システム又はＵＶ光消毒システムの一部でありうる。少なくとも１つの実施形態では、各タイマは、便器システム又はＵＶ光消毒システムに連結された、プロセッサ、単安定バイブレータ、ＲＣ回路、デジタルタイマなどでありうるか、又はそれらを含みうる。
【００６８】
図６は、本開示の一実施形態による、単純化された流し台３０２の側方図を示している。蛇口６００は、出口部６０２からベイシン３１６内に水を流出させることを可能にするよう、操作される。
【００６９】
プランジャ３２０は、枢動リンクアーム６０６を通じて、排水プラグ６０４に接続している。人がプランジャ３２０を矢印Ａの方向に押し下げた際に、プランジャ６０８に枢動可能に接続されているアーム６０６のプランジャ端６０８が、弧Ｂの方向に下方向に枢動する一方、プラグ端６１０は、弧Ｃの方向に上方向に枢動する。それにより、排水プラグ６０４がベイシン３１６から浮き上がり、排水部３１８が開く。排水部３１８が開くと、ベイシン３１６内の水はそこを通って排水される。更に、上述のように、流し台３１２の付近のガスが、上述のように、排水部３１８内に（かつ、流体除去導管内に）引き込まれうる。そのため、プランジャ３２０は、排水部３１８を選択的に開閉させるよう、手動で操作されうる。
【００７０】
少なくとも１つの実施形態では、アクチュエータ１２２ｂも、プランジャ３２０及び／又は排水プラグ６０４に接続される。アクチュエータ１２２ｂは、排水部３１８を自動的に開くよう構成されている、ソレノイドやモータなどでありうる。アクチュエータ１２２ｂは、図２及び図３に示すＵＶ光消毒システム２００などの動作可能なサブシステムと通信可能である。上述のように、ＵＶ光消毒システム２００は作動信号を出力し、作動信号はアクチュエータ１２２ｂによって受信されうる。それに応じて、アクチュエータ１２２ｂは、排水プラグ６０４を動かして排水部３１８を開くために、プランジャ３２０を作動させる。
【００７１】
図７は、本発明の一実施形態による、流体除去システム１００の概略コントロール図を示している。図示しているように、換気タイマ５０６は、例えばＯＲゲート５０８を通じて、浄化バルブアクチュエータ１２２ａとアクチュエータ１２２ｂの両方に連結されうる。ゆえに、ＵＶ作動信号５０４がＵＶ光制御ユニット２０８によって出力されると、浄化バルブアクチュエータ１２２とアクチュエータ１２２ｂの両方に、開放信号が出力される。あるいは、ＵＶ光消毒システム２００は、アクチュエータ１２２ｂにだけ動作可能に連結されうるが、浄化バルブアクチュエータ１２２ａには連結されないことがあり、又はその逆である。
【００７２】
図８は、本開示の一実施形態による、航空機８００の上方斜視図を示している。航空機８００は、例えば２つのターボファンエンジン８１４を含みうる、推進システム８１２を含む。オプションで、推進システム８１２は、図示しているよりも多数のエンジン８１４を含みうる。エンジン８１４は航空機８００の翼８１６により支えられる。他の実施形態では、エンジン８１４は、胴体部８１８及び／又は尾部８２０によって支えられうる。尾部８２０は、水平安定板８２２及び垂直安定板８２４も支持しうる。
【００７３】
航空機２００の胴体部８１８は、内部キャビンを画定し、内部キャビンは、コックピット、一又は複数の作業区域（例えばギャレー、手荷物エリアなど）、一又は複数の旅客区域（例えばファーストクラス、ビジネスクラス、及びコーチ（ｃｏａｃｈ）区域）、並びに、後方レストエリアアセンブリが位置付けられうる後方区域を、含みうる。区域の各々は、一又は複数のクラス仕切アセンブリを含みうるキャビン移行エリアによって分離されうる。頭上手荷物収納庫アセンブリが、内部キャビン全体を通じて位置付けられうる。内部キャビンは、例えばトイレなどの一又は複数のチャンバを含む。（例えば図１から図３に関連して図示及び説明されている）一又は複数の流体除去システム１００は、内部キャビンの中に配置されうる。
【００７４】
換気孔などの排出ポート１１４は、胴体部に形成されうる。そのため、流体（例えば空気やオゾンなどのガス）は、上述のように、流体除去システム１００を通じて航空機８００内の限定空間から引き込まれ、航空機８００の周囲の外部環境に排出されうる。
【００７５】
あるいは、本開示の実施形態は、航空機の代わりに、自動車、バス、機関車及び列車、船舶などといった、様々な他の輸送体に使用されうる。更に、本開示の実施形態は、例えば商業用及び住居用の建物などの固定構造物に対して使用されうる。
【００７６】
図９Ａは、本発明の一実施形態による、航空機の内部キャビン８３０の上面図を示している。内部キャビン８３０は、航空機の胴体部８３２の中にありうる。例えば、一又は複数の胴体壁が、内部キャビン８３０を画定しうる。内部キャビン８３０は、前方区域８３３、ファーストクラス区域８３４（又は、ファーストクラススイート、ファーストクラスキャビンなど）、ビジネスクラス区域８３６、前方ギャレーステーション８３８、拡張型のエコノミー区域又はコーチ区域８４０、標準的なエコノミー区域又はコーチ区域８４２、及び後方区域８４４を含む、複数の区域を含み、後方区域８４４は、トイレ及びギャレーステーションなどの複数の限定空間１０２を含みうる。流体除去システム１００（例えば図１から図３参照）は、限定空間１０２に、又は限定空間１０２の中に、配置されうる。内部キャビン８３０が図示しているよりも多数又は少数の区域を含みうることを、理解されたい。例えば、内部キャビン８３０は、ファーストクラス区域を含まないことがあり、図示したものよりも多数又は少数のギャレーステーションを含むことがある。区域の各々は、通路８４８の間にクラス仕切アセンブリを含みうる、キャビン移行エリア８４６によって分離されうる。
【００７７】
図９Ａに示しているように、内部キャビン８３０は、後方区域８４４につながる２つの通路８５０及び８５２を含む。オプションで、内部キャビン８３０は、図示したものよりも多数又は少数の通路を有しうる。例えば、内部キャビン８３０は、後方区域８４４につながる内部キャビン８３０の中央を通って延在する、単一の通路を含みうる。
【００７８】
図９Ｂは、本発明の一実施形態による、航空機の内部キャビン８８０の上面図を示している。内部キャビン８８０は、航空機の胴体部８８１の中にありうる。例えば、一又は複数の胴体壁が、内部キャビン８８０を画定しうる。内部キャビン８８０は、旅客シート８８３を有するメインキャビン８８２と、メインキャビン８８２の後方の後方区域８８５とを含む、複数の区域を含む。内部キャビン８８０が図示しているよりも多数又は少数の区域を含みうることを、理解されたい。
【００７９】
内部キャビン８８０は、後方区域８８５につながる単一の通路８８４を含みうる。単一の通路８８４は、後方区域８８５につながる内部キャビン８８０の中央を通って延在しうる。例えば、単一の通路８８４は、内部キャビン８８０の中央縦断面の同軸になるように位置調整されうる。
【００８０】
一又は複数のトイレなどの囲まれた空間１０２が、内部キャビン８８０の中に配置されうる。流体除去システム１００（例えば図１から図３参照）は、限定空間１０２に、又は限定空間１０２の中に、配置されうる。
【００８１】
図１０は、本開示の一実施形態による、トイレ１０２の内部斜視図を示している。言及したとおり、トイレ１０２は、例えば、図１から図３に関連して図示及び説明している囲まれた空間１０２の一例である。トイレ１０２は、上述したように、航空機に搭載されうる。オプションで、トイレ１０２は、他の様々な輸送体に搭載されうる。他の実施形態では、トイレ１０２は、商業用又は住居用の建物などの固定構造物の中にありうる。
【００８２】
トイレ１０２は、便器３００、棚９０６、及び流し台３０２を支持する、基部床９０２を含む。ＵＶ光アセンブリ２０６は、トイレ１０２内に固定されており、かつ、便器３００、床９０２、棚９０６、及び流し台３０２などの、トイレ１０２内の様々な構造物を消毒（例えば、殺菌、消毒、若しくは浄化）するために、消毒サイクル中に作動するよう構成される。図示しているように、便器３００は、ハウジング３０６の一部でありうる椀状体３０７を含む。一又は複数のオゾンセンサ９０４が、トイレ１０２内に配置されうる。例えば、オゾンセンサ９０４は、便器３０４のハウジング３０６に装着されうる。オプションで、トイレ１０２がオゾンセンサを含まないこともある。
【００８３】
図１１は、本開示の一実施形態による、限定空間から流体を除去する方法のフロー図を示している。図１、図２、及び図１１を参照するに、作動信号が動作可能なサブシステム１２０から出力される。作動信号は、動作可能なサブシステム１２０の少なくとも１つの態様を作動させ、制御するよう設定され、更に、一又は複数のアクチュエータを起動して開放位置にするよう設定される。少なくとも１つの実施形態では、作動信号は、流体除去システムとは別個に、動作可能なサブシステム１２０を作動させ、制御するよう設定される。例えば、動作可能なサブシステム１２０は、図２に示す、ＵＶ光消毒システム２００又はコンピュータ２０４でありうる。少なくとも１つの実施形態では、動作可能なサブシステム１２０の作動信号は、開放信号でありうるか、又は開放信号を含みうる。例えば、ＵＶ光制御ユニット２０８は、消毒サイクル中にＵＶ光を放出するために、ＵＶ光アセンブリ２０６に作動信号を出力しうる。作動信号は、アクチュエータ１２２にも出力され、アクチュエータ１２２によって開放信号と解釈されうる。
【００８４】
１００２において、作動信号が受信されると、アクチュエータ（複数可）１２２は、開放位置へと動き、それにより、少なくとも１つの流体除去導管１１０が開く。１００４において、流体が、真空発生装置１１２によって発生した真空力を通じて、流体除去導管（複数可）１１０内に引き込まれる。１００６において、流体除去導管（複数可）１１０内に引き込まれた流体は、排出ポート１１３を通じて排出される。
【００８５】
１００８において、動作サイクルがまだ作動しているか否かが判定される。少なくとも１つの実施形態では、動作サイクルは、ＵＶ光制御ユニット２０８によって決定される、ＵＶ光消毒システム２００の消毒サイクルである。別の例としては、動作サイクルは、コンピュータ２０４によって決定される、乱気流検出期間でありうる。別の例としては、動作サイクルは、人が関与部材２０２に関与することによって開始される、手動の優先換気サイクルでありうる。
【００８６】
１００８において動作サイクルがまだ作動している場合、方法は、アクチュエータ（複数可）１２２が開放位置に維持される１００９に進む。方法は次いで、１００４に戻る。しかし、１００８において動作サイクルが既に停止している場合、方法は１０１０で終了する。更に、本開示は以下の条項による実施形態を含む。
【００８７】
条項１．限定空間から流体を除去するよう構成された流体除去システムであって、
動作サイクルにしたがって動作するよう構成されている動作可能なサブシステムであって、動作サイクル中に作動信号を出力するよう構成されている、動作可能なサブシステムと、
動作可能なサブシステムに動作可能に連結され、かつ、流体除去導管に可動式に接続された、アクチュエータとを備え、流体除去導管は、アクチュエータが閉鎖位置にある時には閉じ、アクチュエータが開放位置にある時には開き、アクチュエータが、動作可能なサブシステムが作動信号を出力することに応じて、開放位置へと動き、限定空間内の流体は、アクチュエータが開放位置にある時に、流体除去導管内に引き込まれ、排出ポートを通じて排出される、流体除去システム。
【００８８】
条項２．流体除去導管に連結された真空発生装置を更に含み、真空発生装置は、アクチュエータが開放位置にある時に流体除去導管の中に限定空間内の流体を引き込む、真空を発生させる、条項１に記載の流体除去システム。
【００８９】
条項３．アクチュエータが便器の浄化バルブを含む、条項１に記載の流体除去システム。
【００９０】
条項４．便器は、人が関与して、水洗浄バルブ及び浄化バルブが開く湿式浄化を作動させるよう構成されており、作動信号が動作可能なサブシステムによって出力されると、浄化バルブだけが開いて乾式浄化を提供する、条項３に記載の流体除去システム。
【００９１】
条項５．アクチュエータが、流し台のプランジャと排水プラグの一方又は両方に連結された、ソレノイドとモータの一方又は両方を含む、条項１に記載の流体除去システム。
【００９２】
条項６．動作サイクルが消毒サイクルを含み、流体が限定空間内のオゾンを含み、動作可能なサブシステムが、紫外（ＵＶ）光消毒システムであって、
作動信号を出力するよう構成されている、ＵＶ光制御ユニットと、
ＵＶ光制御ユニットに動作可能に連結された、ＵＶ光アセンブリとを含む、ＵＶ光消毒システムを含み、ＵＶ光制御ユニットは、作動信号に基づいて、消毒サイクル中にＵＶ光アセンブリを制御し、ＵＶ光アセンブリは、消毒サイクル中に限定空間の少なくとも一部分を消毒するためにＵＶ光を放出する、条項１に記載の流体除去システム。
【００９３】
条項７．人が手動で関与するよう構成されている関与部材を更に備え、流体が、限定空間内の悪臭を伴う空気を更に含む、条項６に記載の流体除去システム。
【００９４】
条項８．動作サイクルが乱気流検出期間を含み、流体が限定空間内の水を含み、動作可能なサブシステムが、航空機に搭載されたコンピュータを含む、条項１に記載の流体除去システム。
【００９５】
条項９．限定空間から流体を除去する流体除去方法であって、
動作サイクルにしたがって動作可能なサブシステムを動作させることと、
動作サイクル中に、動作可能なサブシステムから、動作可能なサブシステムに動作可能に連結され、かつ、流体除去導管に可動式に接続されているアクチュエータに、作動信号を出力することであって、流体除去導管は、アクチュエータが閉鎖位置にある時には閉じ、アクチュエータが開放位置にある時には開く、出力することと、
出力することに応じて、アクチュエータを開放位置へと動かすことと、
アクチュエータが開放位置にある時に、流体除去導管の中に限定空間内の流体を引き込むこととを含む、流体除去方法。
【００９６】
条項１０．流体除去導管に連結されている真空発生装置を用いて、真空を発生させることを更に含み、真空を発生させることは、アクチュエータが開放位置にある時に、流体除去導管の中に限定空間内の流体を引き込む、条項９に記載の流体除去方法。
【００９７】
条項１１．アクチュエータが便器の浄化バルブを含む、条項９に記載の流体除去方法。
【００９８】
条項１２．便器は、水洗浄バルブ及び浄化バルブが開く湿式浄化を作動させるために人が関与可能であり、出力することの間に、浄化バルブだけが開いて乾式浄化を提供する、条項１１に記載の流体除去方法。
【００９９】
条項１３．アクチュエータが、流し台のプランジャと排水プラグの一方又は両方に連結された、ソレノイドとモータの一方又は両方を含む、条項９に記載の流体除去方法。
【０１００】
条項１４．動作サイクルが消毒サイクルを含み、流体が限定空間内のオゾンを含み、動作可能なサブシステムが、紫外（ＵＶ）光消毒システムであって、
作動信号を出力するよう構成されている、ＵＶ光制御ユニットと、
ＵＶ光制御ユニットに動作可能に連結された、ＵＶ光アセンブリとを含む、ＵＶ光消毒システムを含み、ＵＶ光制御ユニットは、作動信号に基づいて、消毒サイクル中にＵＶ光アセンブリを制御し、ＵＶ光アセンブリは、消毒サイクル中に限定空間の少なくとも一部分を消毒するためにＵＶ光を放出する、条項９に記載の流体除去方法。
【０１０１】
条項１５．前記動かすことを引き起こすために、関与部材に手動で関与することを更に含み、流体が、限定空間内の悪臭を伴う空気を更に含む、条項１４に記載の流体除去方法。
【０１０２】
条項１６．動作サイクルが乱気流検出期間を含み、流体が限定空間内の水を含み、動作可能なサブシステムが、航空機に搭載されたコンピュータを含む、条項９に記載の流体除去方法。
【０１０３】
条項１７．輸送体であって、
内部キャビンと、
内部キャビンの中のトイレであって、便器及び流し台を備えており、便器は、人が関与して、水洗浄バルブ及び浄化バルブが開く湿式浄化を作動させるよう構成されている、トイレと、
便器と流し台の一方又は両方に連結された、少なくとも１つの流体除去導管と、
少なくとも１つの流体除去導管に連結された、真空発生装置であって、少なくとも１つの流体除去導管内に真空を発生させるよう構成されている、真空発生装置と、
トイレの中の紫外（ＵＶ）光アセンブリであって、消毒サイクル中に、便器と流し台の一方又は両方の中に、又はそれらに対して、ＵＶ光を放出するよう構成されている、ＵＶ光アセンブリと、
ＵＶ光アセンブリに連結されたＵＶ光制御ユニットであって、消毒サイクル中にＵＶ光アセンブリを作動させ、制御する、作動信号を出力する、ＵＶ光制御ユニットと、
ＵＶ光制御ユニットに動作可能に連結され、かつ、少なくとも１つの流体除去導管に可動式に接続された、少なくとも１つのアクチュエータであって、少なくとも１つの流体除去導管が、少なくとも１つのアクチュエータが閉鎖位置にある時には閉じ、少なくとも１つのアクチュエータが開放位置にある時には開き、ＵＶ光制御ユニットが作動信号を出力することに応じて、開放位置へと動き、トイレ内の流体は、少なくとも１つのアクチュエータ開放位置にある時に、少なくとも１つの流体除去導管の中に引き込まれ、真空発生装置が、アクチュエータが開放位置にある時に、少なくとも１つの流体除去導管の中にトイレ内の流体を引き込む、少なくとも１つのアクチュエータと、
少なくとも１つの流体除去導管に連結された、排出ポートであって、少なくとも１つの流体除去導管内に引き込まれた流体が、排出ポートを通じて輸送体の外に排出される、排出ポートとを備える、輸送体。
【０１０４】
条項１８．少なくとも１つのアクチュエータが、便器の浄化バルブを含み、作動信号がＵＶ光制御ユニットによって出力されると、浄化バルブだけが開いて乾式浄化を提供する、条項１７に記載の輸送体。
【０１０５】
条項１９．少なくとも１つのアクチュエータが、流し台のプランジャと排水プラグの一方又は両方に連結された、ソレノイドとモータの一方又は両方を含む、条項１７に記載の輸送体。
【０１０６】
条項２０．人が手動で関与するよう構成されている関与部材を更に備え、流体が、トイレ内の悪臭を伴う空気を更に含む、条項１７に記載の輸送体。
【０１０７】
上述のように、本開示のある種の実施形態は、限定空間内のオゾン量を制限するシステム及び方法を提供する。本開示のある種の実施形態は、限定空間内のオゾンを換気するシステム及び方法を提供する。本開示のある種の実施形態は、放出されたＵＶ光と周囲空気との相互作用によって発生したオゾンが迅速、効果的、かつ効率的に換気されるように、ＵＶ光を消毒されるべき構造物から離すことを可能にする、システム及び方法を提供する。本開示のある種の実施形態は、限定空間から様々な流体（例えば淀んだ／悪臭を伴う空気、オゾン、流し台の中の液体など）を除去する、システム及び方法を提供する。
【０１０８】
本開示の実施形態を説明するために、上（ｔｏｐ）、底（ｂｏｔｔｏｍ）、下方（ｌｏｗｅｒ）、中間（ｍｉｄ）、横方向（ｌａｔｅｒａｌ）、水平（ｈｏｒｉｚｏｎｔａｌ）、垂直（ｖｅｒｔｉｃａｌ）、前方（ｆｒｏｎｔ）などといった、空間及び方向に関する様々な語が使用されうるが、かかる語は図面に示す配向に関して使用されているにすぎないことを、理解されたい。この配向は、上部が下部になる、その逆になる、水平が垂直になる等のように、反転し、回転し、若しくは、変化しうる。
【０１０９】
本書において、タスク又は動作を実施する「よう構成／設定され（ｃｏｎｆｉｇｕｒｅｄｔｏ）」ている構造物、制約、又は要素は、タスク又は動作に対応する様態で、特に構造的に、形成され、構成／設定され、又は適合している。分かりやすくするため、かつ誤解を避けるために、タスク又は動作を実施するために改変されることが可能であるだけの対象物は、本書における、タスク又は動作を実施する「よう構成／設定」されているものではない。
【０１１０】
上記の説明は、制限的なものではなく例示のためのものであることを、理解されたい。例えば、上述の実施形態（及び／又はそれらの態様）は、互いに組み合わされて使用されうる。加えて、本開示の様々な実施形態の教示には、その範囲から逸脱することなく特定の状況又は材料に適応させるよう、多数の改変を行いうる。本書に記載の寸法及び材料の種類は、本開示の様々な実施形態のパラメータを規定するためのものであるが、これらの実施形態は全く限定的なものではなく、例示的な実施形態である。上記の説明を精査することで、当業者には、他の多くの実施形態が明らかになろう。したがって、本開示の様々な実施形態の範囲は、付随する特許請求の範囲、並びに、かかる特許請求の範囲が認められる均等物の全範囲を参照して、決定されるべきである。付随する特許請求の範囲において、「含む（ｉｎｃｌｕｄｉｎｇ）」及び「そこにおいて（ｉｎ  ｗｈｉｃｈ）」という語は、「備える（ｃｏｍｐｒｉｓｉｎｇ）」及び「そこで（ｗｈｅｒｅｉｎ）」という語それぞれの明白な同義語として使用される。更に、「第１（ｆｉｒｓｔ）」「第２（ｓｅｃｏｎｄ）」及び「第３（ｔｈｉｒｄ）」等の語は、単に標識として使用され、それらの対象物に数的要件を課すことを意図するものではない。更に、下記の特許請求の範囲の限定は、ミーンズ・プラス・ファンクション書式で記述されておらず、かかる特許請求の範囲の限定が更なる構造のない機能の記述が後に続く「のための手段（ｍｅａｎｓ  ｆｏｒ）」という言い回しを明示的に使用しない限り、米国特許法第１１２条（ｆ）に基づいて解釈されることは意図されていない。
【０１１１】
この明細書は、ベストモードを含む本開示の様々な実施形態を開示するため、及び、いかなる当業者にも、任意のデバイス又はシステムの作成及び使用、並びに包含された任意の方法の実施を含む、本開示の様々な実施形態を実践することを可能にするために、例を使用している。本開示の様々な実施形態の特許性の範囲は、特許請求の範囲によって規定され、当業者が想起する他の例を含みうる。かかる他の例は、例が特許請求の範囲の文言と相違しない構造要素を有する場合、又は、例が特許請求の範囲の文言とのごくわずかな相違しか有しない同等の構造要素を含む場合に、特許請求の範囲に含まれることが意図される。
【図１】
2018066256.tif 000003
【図２】
2018066256.tif 000004
【図３】
2018066256.tif 000005
【図４】
2018066256.tif 000006
【図５】
2018066256.tif 000007
【図６】
2018066256.tif 000008
【図７】
2018066256.tif 000009
【図８】
2018066256.tif 000010
【図９Ａ】
2018066256.tif 000011
【図９Ｂ】
2018066256.tif 000012
【図１０】
2018066256.tif 000013
【図１１】
2018066256.tif 000014
【外国語明細書】
2018066256000001.pdf
2018066256000002.pdf
2018066256000003.pdf
2018066256000004.pdf